(57)【特許請求の範囲】
【請求項１】
発話された語彙を入力して音声データに変換する音声入力手段と、
前記音声入力手段から受け取った音声データに基づいて発話された語彙を認識する音声認識手段と、
外部からコンテンツ情報を取得するコンテンツ情報取得手段と、
前記コンテンツ情報取得手段から送られてくるコンテンツ情報から音声認識の対象とする音声認識対象語彙を抽出する音声認識語彙抽出手段と、
前記コンテンツ情報取得手段から送られてくるコンテンツ情報のうちの、前記音声認識語彙抽出手段で抽出された音声認識対象語彙に対応する音声認識対象語彙の表示形態を変更する処理を施す語彙表示形態変更手段と、
語彙表示形態変更手段から送られてくる表示形態が変更された音声認識対象語彙を含むコンテンツ情報に基づきコンテンツを表示するコンテンツ情報表示手段と、
音声認識用の複数の辞書とを備え、
前記コンテンツ情報取得手段は、さらに、前記音声認識手段で認識された語彙に一致する音声認識対象語彙をコンテンツ情報から選択し、該選択した音声認識対象語彙に基づき新たなコンテンツ情報を取得し、
前記語彙表示形態変更手段は、
アクティブな辞書が変化した場合に、先にアクティブにされていた辞書に基づいて表示形態が変更された音声認識対象語彙が、現在アクティブにされている辞書に基づいて表示形態を変更させるべき音声認識対象語彙と異なれば、現在アクティブにされている辞書に基づいて音声認識対象語彙の表示形態を変更する
ことを特徴とするコンテンツ情報提供装置。
【請求項２】
音声認識語彙抽出手段で抽出された音声認識対象語彙の先頭に、以下に続く語彙が音声認識対象である旨を表すボイスマークを付加するボイスマーク付加手段を備え、
語彙表示形態変更手段は、コンテンツ情報取得手段で取得されたコンテンツ情報のうちの、音声認識語彙抽出手段で抽出された音声認識対象語彙に対応する音声認識対象語彙の表示形態を変更する処理を施し、且つ前記ボイスマーク付加手段から送られてくる音声認識対象語彙に付加されたボイスマークを前記表示形態が変更された音声認識対象語彙の先頭に付加する処理を施す
ことを特徴とする請求項１記載のコンテンツ情報提供装置。
【請求項３】
音声認識手段は、音声入力手段から受け取った音声データに基づいて、発話されたボイスマークの読みを認識し、該認識した読みに対応する語彙を出力する
ことを特徴とする請求項２記載のコンテンツ情報提供装置。
【請求項４】
語彙表示形態変更手段は、
音声認識対象語彙の色、字体、大きさ、輝度および点滅周期の少なくとも１つを変更する処理、音声認識対象語彙の強調処理ならびに音声認識対象語彙にルビを付与する処理の少なくとも１つの処理を行う
ことを特徴とする請求項１から請求項３のうちのいずれか１項記載のコンテンツ情報提供装置。
【請求項５】
音声認識手段は、音声入力手段から受け取った音声データに基づく音声認識の成否を表す音声認識成否情報を出力し、
語彙表示形態変更手段は、
前記音声認識手段から受け取った音声認識成否情報に基づき認識率を算出し、該算出した認識率に応じて、コンテンツ情報取得手段から送られてくるコンテンツ情報に含まれる音声認識対象語彙の表示形態を変更する処理を施す
ことを特徴とする請求項１から請求項３のうちのいずれか１項記載のコンテンツ情報提供装置。
【請求項６】
音声認識手段は、音声入力手段から受け取った音声データに基づく音声認識の成否を表す音声認識成否情報を出力し、
語彙表示形態変更手段は、
前記音声認識手段から受け取った音声認識成否情報に基づき音声認識が成功した認識頻度を算出し、該算出した認識頻度に応じて、コンテンツ情報取得手段から送られてくるコンテンツ情報に含まれる音声認識対象語彙の表示形態を変更する処理を施す
ことを特徴とする請求項１から請求項３のうちのいずれか１項記載のコンテンツ情報提供装置。
【請求項７】
音声認識手段から受け取った音声認識成否情報をユーザ毎に記憶する登録ユーザ情報メモリを備え、
語彙表示形態変更手段は、
前記登録ユーザ情報メモリから読み出した音声認識成否情報に応じて、コンテンツ情報取得手段から送られてくるコンテンツ情報に含まれる音声認識対象語彙の表示形態を変更する処理を施す
ことを特徴とする請求項５または請求項６記載のコンテンツ情報提供装置。
【発明の詳細な説明】
【技術分野】
【０００１】
この発明は、例えば音声操作によってコンテンツ情報をユーザに提供するコンテンツ情報提供装置に関し、特に、音声操作時における認識対象語彙の判別を容易ならしめる技術に関する。
【背景技術】
【０００２】
従来、音声操作によってコンテンツ情報を表示させて閲覧することができる装置が知られている。このような装置として、例えば、特許文献１は、マークアップ言語で記述されたデータを閲覧する際に、利用者の音声によって閲覧の操作を支援するデータ閲覧支援装置を開示している。このデータ閲覧支援装置は、マークアップ言語で記述されたデータの中から、リンク先を示すリンク情報を検索するリンク情報検索手段と、リンク情報に同一画面のデータ内で識別可能なマーカ文字を付加してマーカ文字付データを生成するマーカ文字付加手段と、マーカ文字付データを解析して閲覧可能な表示データを生成する表示データ生成手段と、利用者の音声を認識する音声認識手段と、認識結果がマーカ文字に対応する場合に、そのマーカ文字に関連するリンク先から、データを取得するリンク先切り替え部とを備えている。このデータ閲覧支援装置によれば、Ｗｅｂページやデータ放送を閲覧（視聴）する際に、利用者の音声によって、Ｗｅｂ画面やデジタルＴＶ画面の閲覧の操作を支援し、リンク先への画面遷移を行うことができる。
【０００３】
また、特許文献２は、ＭＬ（Markup Language）で記述されたファイルを表示および操作するコンテンツ操作表示装置を開示している。このコンテンツ操作表示装置においては、コンテンツ取得解析部は、ＨＴＭＬ（Hyper Text Markup Language）ファイルからアンカーを示す文字列およびそのリンク先情報を抽出し、認識対象データリスト管理部へ送信する。音声認識処理部はユーザが発声した音声信号を入力し、その音声信号から所定の認識文字列データを認識対象データリスト管理部に登録されている認識データリストより検出し、それに対応するリンク先文字列とともに、コンテンツ操作部へ送信する。コンテンツ操作部はリンク先文字列で指定されたコンテンツの取得、解析、表示命令をコンテンツ取得解析部に対して送信する。この動作を繰り返すことにより、音声信号によりブラウザ機能を操作することが可能となる。
【０００４】
【特許文献１】特開２００４−３３４４０９号公報
【特許文献２】特開２００４−７０７３１号公報
【発明の開示】
【発明が解決しようとする課題】
【０００５】
しかしながら、上述した特許文献１に開示されたデータ閲覧支援装置では、コンテンツ内の操作対象であるリンク情報にマーカ文字（例えば番号）を付加し、そのマーカ文字の発声に応答して音声認識を行ってリンク情報を特定するように構成されているが、マーカ文字自体の表示形態は一定であるので、何れのマーカ文字が現在認識可能であるかの判別が難しいという問題がある。
【０００６】
また、特許文献２に開示されたコンテンツ操作表示装置では、どの部分が現在認識可能であるかを指定できないため、ユーザにとって何が認識可能かを判断できず、操作性に劣るという問題がある。
【０００７】
この発明は、上述した問題を解消するためになされたものであり、ユーザに提示されたコンテンツ情報中の認識対象語彙を容易に判別することができる、操作性に優れたコンテンツ情報提供装置を提供することを目的とする。
【課題を解決するための手段】
【０００８】
この発明に係るコンテンツ情報提供装置は、発話された語彙を入力して音声データに変換する音声入力手段と、音声入力手段から受け取った音声データに基づいて発話された語彙を認識する音声認識手段と、外部からコンテンツ情報を取得するコンテンツ情報取得手段と、コンテンツ情報取得手段から送られてくるコンテンツ情報から音声認識の対象とする音声認識対象語彙を抽出する音声認識語彙抽出手段と、コンテンツ情報取得手段から送られてくるコンテンツ情報のうちの、音声認識語彙抽出手段で抽出された音声認識対象語彙に対応する音声認識対象語彙の表示形態を変更する処理を施す語彙表示形態変更手段と、語彙表示形態変更手段から送られてくる表示形態が変更された音声認識対象語彙を含むコンテンツ情報に基づきコンテンツを表示するコンテンツ情報表示手段と、音声認識用の複数の辞書とを備え、コンテンツ情報取得手段は、さらに、音声認識手段で認識された語彙に一致する音声認識対象語彙をコンテンツ情報から選択し、該選択した音声認識対象語彙に基づき新たなコンテンツ情報を取得し、語彙表示形態変更手段は、アクティブな辞書が変化した場合に、先にアクティブにされていた辞書に基づいて表示形態が変更された音声認識対象語彙が、現在アクティブにされている辞書に基づいて表示形態を変更させるべき音声認識対象語彙と異なれば、現在アクティブにされている辞書に基づいて音声認識対象語彙の表示形態を変更するように構成されている。
【発明の効果】
【０００９】
この発明に係るコンテンツ情報提供装置によれば、外部から取得したコンテンツ情報に含まれる音声認識対象語彙の表示形態を変更して表示するように構成したので、ユーザは、コンテンツ情報中の認識対象語彙を容易に判別することができ、操作性を向上させることができる。また、ユーザは、過去に使用していた辞書から現在使用している辞書への変化を知ることができるので、ユーザは、認識可能な語彙である音声認識対象語彙が変化しても戸惑うことがない。また、音声認識対象語彙の変更が視覚的に理解しやすくなるので、ユーザは、現在音声認識が可能な語彙を容易に理解できる。
【発明を実施するための最良の形態】
【００１０】
以下、この発明の実施の形態を、図面を参照しながら詳細に説明する
実施の形態１．
図１は、この発明の実施の形態１に係るコンテンツ情報提供装置の構成を示すブロック図である。このコンテンツ情報提供装置は、コンテンツ情報取得手段１１、辞書１２、音声認識語彙抽出手段１３、語彙情報形態変更手段１４、コンテンツ情報表示手段１５、音声入力手段１６および音声認識手段１７から構成されている。
【００１１】
コンテンツ情報取得手段１１は、例えば音声ブラウザから構成されており、音声認識手段１７から送られてくる認識結果を表す語彙に基づき、ネットワーク１０を介してＨＴＭＬ（HyperText Markup Language）やＸＭＬ（eXtensible Markup Language）形式で記述されたコンテンツ情報を取得する。ネットワーク１０としては、例えばインターネットや携帯電話などの公衆回線を使用することができる。このコンテンツ情報取得手段１１で取得されたコンテンツ情報は、音声認識語彙抽出手段１３および語彙表示形態変更手段１４に送られる。
【００１２】
辞書１２は、例えばディスク装置に形成されており、音声認識に用いられるデータ、つまり、音声を表す音声データと語彙との対応関係を記述したデータを格納している。この辞書１２は、音声認識語彙抽出手段１３および音声認識手段１７から参照される。
【００１３】
音声認識語彙抽出手段１３は、辞書１２を参照して、コンテンツ情報取得手段１１から送られてくるコンテンツ情報に含まれる、音声認識の対象とする語彙である音声認識対象語彙を抽出する。この音声認識語彙抽出手段１３で抽出された音声認識対象語彙は、語彙情報形態変更手段１４に送られる。
【００１４】
語彙表示形態変更手段１４は、コンテンツ情報取得手段１１から送られてくるコンテンツ情報のうちの、音声認識語彙抽出手段１３から送られてくる音声認識対象語彙に一致する語彙を音声認識対象語彙と判断し、その表示形態を変更する処理を実行する。表示形態の変更は、音声認識対象語彙の色、字体（フォント・形状）、大きさ、輝度（明度・濃度）および点滅周期の少なくとも１つを変更する処理、音声認識対象語彙の強調処理（太字・アンダーライン・斜字など）ならびに音声認識対象語彙にルビを付与する処理の少なくとも１つの処理によって行われる。
【００１５】
図２は、コンテンツ情報中の音声認識対象語彙の表示形態が変更された例を示す。この例では、音声認識対象語彙が太字に変更され、さらにアンダーラインが施されている。このような表示形態の変更は、ＨＴＭＬのタグを追加し、または変更することによって実現される。この語彙情報形態変更手段１４において表示形態が変更された音声認識対象語彙を含むコンテンツ情報は、変更コンテンツ情報としてコンテンツ情報表示手段１５に送られる。
【００１６】
コンテンツ情報表示手段１５は、例えばディスプレイ装置から構成されており、語彙表示形態変更手段１４から送られてきた変更コンテンツ情報をブラウザの画像として表示する。したがって、ブラウザの画像では、音声認識対象語彙の表示形態が変更されたコンテンツが表示されてユーザに提示される。音声入力手段１６は、例えばマイクロフォンから構成されており、発話された語彙を音声データに変換して音声認識手段１７に送る。例えば、ユーザがブラウザの画像を参照し、この画像に表示されたコンテンツの太字とアンダーラインが施された部分を確認してその読みを発話すると、発話された音声が音声データに変換されて音声認識手段１７に送られる。
【００１７】
音声認識手段１７は、辞書１２を参照して、音声認識を実行し、この音声認識の結果をコンテンツ情報取得手段１１に送る。具体的には、音声認識手段１７は、音声入力手段１６から送られてきた音声データに対応する語彙を辞書１２から検索し、この検索された語彙を音声認識の結果としてコンテンツ情報取得手段１１に送る。
【００１８】
次に、上記のように構成される、この発明の実施の形態１に係るコンテンツ情報提供装置の動作を、図３に示すフローチャートを参照しながら説明する。
【００１９】
まず、ネットワーク１０からコンテンツ情報が取得される（ステップＳＴ１１）。すなわち、コンテンツ情報取得手段１１は、音声認識手段１７から送られてくる認識結果を表す語彙に基づき、ネットワーク１０からコンテンツ情報を取得し、音声認識語彙抽出手段１３および語彙表示形態変更手段１４に送る。なお、初回のコンテンツ情報の取得時は、音声認識手段１７から送られてくる認識結果に拘わらず、あらかじめ定められた特定のコンテンツ情報が取得される。
【００２０】
次いで、辞書１２を参照してコンテンツ情報内から音声認識対象語彙が抽出される（ステップＳＴ１２）。すなわち、音声認識語彙抽出手段１３は、辞書１２を参照して、コンテンツ情報取得手段１１から送られてくるコンテンツ情報の中から音声認識対象語彙を抽出し、語彙情報形態変更手段１４に送る。
【００２１】
次いで、音声認識対象語彙の表示形態が変更される（ステップＳＴ１３）。すなわち、語彙表示形態変更手段１４は、コンテンツ情報取得手段１１から送られてくるコンテンツ情報のうちの、音声認識語彙抽出手段１３から送られてくる音声認識対象語彙に一致する語彙を音声認識語彙と判断し、その表示形態を変更する処理を行う。これにより、例えば図２に示すような、音声認識対象語彙が太字に変更され、且つアンダーラインが施された変更コンテンツ情報が作成される。この作成された変更コンテンツ情報は、コンテンツ情報表示手段１５に送られる。
【００２２】
次いで、変更コンテンツ情報が提示される（ステップＳＴ１４）。すなわち、コンテンツ情報表示手段は、語彙情報形態変更手段１４から受け取った変更コンテンツ情報をブラウザの画像として表示することによりユーザに提示する。この変更コンテンツ情報に基づき表示されたブラウザの画像を見ることにより、ユーザは、コンテンツ内の音声認識可能な語彙を理解することができる。
【００２３】
この状態において、ユーザがブラウザの画像に表示された音声認識対象語彙の１つを発話すると、変更コンテンツに対するユーザの音声が受理される（ステップＳＴ１５）。すなわち、音声入力手段１６は、ユーザによって発話された語彙を音声データに変換し、音声認識手段１７に送る。音声認識手段１７は、辞書１２を参照して、音声入力手段１６から送られてきた音声データに対して音声認識処理を実行し、認識結果として得られた語彙をコンテンツ情報取得手段１１に送る。
【００２４】
次いで、音声認識結果をキーにコンテンツ内のリンクに遷移する（ステップＳＴ１６）。すなわち、コンテンツ情報取得手段１１は、音声認識手段１７から送られてくる、音声認識の結果としての語彙をキーとしてコンテンツ上の一致する語彙を選択し、選択された語彙のタグに記述されているリンク先に遷移する。その後、シーケンスはステップＳＴ１１に戻る。これにより、リンク先の新たなコンテンツ情報が取得される。
【００２５】
以上説明したように、この発明の実施の形態１に係るコンテンツ情報提供装置によれば、コンテンツの画面の音声認識対象語彙を他の語彙と異なる表示形態に変更して表示するように構成したので、ユーザは、音声認識対象語彙、つまり音声認識で操作することが可能な語彙であることを視覚的且つ直感的に理解することができる。また、音声認識対象語彙にルビを振る構成によれば、ユーザによる誤った発話を防止できる。
【００２６】
実施の形態２．
この発明の実施の形態２に係るコンテンツ情報提供装置は、実施の形態１に係るコンテンツ情報提供装置において行われる音声認識対象語彙の表示形態の変更に加え、該音声認識対象語彙の先頭に、例えば記号や数字といった簡単な語彙から成るボイスマークを付加するようにしたものである。ボイスマークは、以下に続く語彙が音声認識対象である旨を表す。
【００２７】
図４は、この発明の実施の形態２に係るコンテンツ情報提供装置の構成を示すブロック図である。このコンテンツ情報提供装置は、実施の形態１に係るコンテンツ情報提供装置の構成にボイスマーク付加手段１８が追加されるとともに、音声認識語彙抽出手段１３および語彙情報形態変更手段１４の機能が変更されることにより構成されている。以下、実施の形態１に係るコンテンツ情報提供装置と異なる部分を中心に説明する。
【００２８】
音声認識語彙抽出手段１３は、辞書１２を参照して、コンテンツ情報取得手段１１から送られてくるコンテンツ情報の中から、音声認識の対象とする語彙である音声認識対象語彙を抽出する。この音声認識語彙抽出手段１３において抽出された音声認識対象語彙は、語彙情報形態変更手段１４およびボイスマーク付加手段１８に送られる。ボイスマーク付加手段１８は、以下に続く語彙が音声認識対象語彙であることを明示するために、音声認識語彙抽出手段１３から送られてくる音声認識対象語彙の先頭にボイスマークを付加する。このボイスマーク付加手段１８においてボイスマークが付加された音声認識対象語彙は語彙表示形態変更手段１４に送られる。
【００２９】
語彙情報形態変更手段１４は、コンテンツ情報取得手段１１から送られてくるコンテンツ情報のうちの、音声認識語彙抽出手段１３から送られてくる音声認識対象語彙に一致する語彙を音声認識対象語彙と判断し、その表示形態を変更する処理を実行するとともに、ボイスマーク付加手段１８から送られてくるボイスマークが付加された音声認識対象語彙に一致する語彙を、ボイスマークを付加すべき音声認識対象語彙と判断し、その音声認識対象語彙の先頭にボイスマークを付加（挿入）する処理を実行する。
【００３０】
ボイスマークの付加は、音声認識対象語彙の前にボイスマークの画像タグを挿入することにより実現することができる。なお、表示形態の変更は、上述した実施の形態１の場合と同様に、音声認識対象語彙の色、字体（フォント・形状）、大きさ、輝度（明度・濃度）および点滅周期の少なくとも１つを変更する処理、音声認識対象語彙の強調処理（太字・アンダーライン・斜字など）ならびに音声認識対象語彙にルビを付与する処理の少なくとも１つの処理によって行われる。この語彙情報形態変更手段１４において表示形態が変更され、且つボイスマークが付加された音声認識対象語彙を含むコンテンツ情報は、変更コンテンツ情報としてコンテンツ情報表示手段１５に送られる。
【００３１】
次に、上記のように構成される、この発明の実施の形態１に係るコンテンツ情報提供装置の動作を、図６に示すフローチャートを参照しながら説明する。なお、上述した実施の形態１に係るコンテンツ情報提供装置と同一の処理ステップには、実施の形態１と同一の符号を付して説明を簡略化する。
【００３２】
まず、ネットワーク１０からコンテンツ情報が取得される（ステップＳＴ１１）。次いで、辞書１２を参照してコンテンツ情報内から音声認識対象語彙が抽出される（ステップＳＴ１２）。次いで、音声認識対象語彙の表示形態の変更（ステップＳＴ１３）および音声認識対象語彙に対するボイスマークの付加が実行される（ステップＳＴ１７）。
【００３３】
すなわち、語彙情報形態変更手段１４は、コンテンツ情報取得手段１１から送られてくるコンテンツ情報のうちの、音声認識語彙抽出手段１３から送られてくる音声認識対象語彙に一致する語彙を音声認識対象語彙と判断し、その表示形態を変更する処理を実行するとともに、ボイスマーク付加手段１８から送られてくるボイスマークが付加された音声認識対象語彙に一致する語彙を、ボイスマークを付加すべき音声認識対象語彙と判断し、その音声認識対象語彙の先頭にボイスマークを付加（挿入）する処理を実行する。これにより、例えば図５に示すような、音声認識対象語彙が太字に変更され、且つアンダーラインが施されるとともに、その音声認識対象語彙の前にボイスマークが付加された変更コンテンツ情報が作成される。この作成された変更コンテンツ情報は、コンテンツ情報表示手段１５に送られる。
【００３４】
次いで、変更コンテンツ情報が提示される（ステップＳＴ１４）。この状態において、ユーザがブラウザの画像に表示された音声認識対象語彙の１つを発話すると、変更コンテンツに対するユーザの音声が受理される（ステップＳＴ１５）。次いで、音声認識結果をキーにコンテンツ内のリンクに遷移する（ステップＳＴ１６）。その後、シーケンスはステップＳＴ１１に戻り、リンク先の新たなコンテンツ情報が取得される。
【００３５】
以上説明したように、この発明の実施の形態２に係るコンテンツ情報提供装置によれば、コンテンツの画面の音声認識対象語彙を他の語彙と異なる表示形態に変更するとともに、音声認識対象語彙の前にボイスマークを付加して表示するように構成したので、ユーザは、音声認識対象語彙、つまり音声認識で操作できる語彙であることを、上述した実施の形態１に係るコンテンツ情報提供装置よりもさらに明確に理解することができる。
【００３６】
なお、上述した実施の形態２に係るコンテンツ情報提供装置では、ユーザが、ブラウザの画像に表示された音声認識対象語彙を発話することにより、その音声認識対象語彙に対応する新たなコンテンツ情報をネットワークから取得するように構成したが、ユーザはボイスマーク付加手段１８によって付加されたボイスマークの読みを発話し、音声認識手段１７は、この発話に応じて音声入力手段１６から送られてくる音声データに基づいて、発話されたボイスマークの読みを認識し、さらに、あらかじめ用意されたボイスマークの読みと語彙とを対応付けたテーブルを参照することにより、ボイスマークの読みに対応する語彙を出力するように構成できる。この構成によれば、ボイスマークとして使用される数字や記号といった簡単な語彙が音声認識対象とされるので、ユーザは、音声認識対象語彙の箇所を理解しやすくなるとともに、音声認識手段１７による認識率を向上させることができる。
【００３７】
実施の形態３．
この発明の実施の形態３に係るコンテンツ情報提供装置は、実施の形態２に係るコンテンツ情報提供装置における辞書を複数の辞書によって構成し、アクティブ（認識処理が可能な状態）な辞書の変更に応じて音声認識対象語彙の表示形態を変更するようにしたものである。
【００３８】
図７は、この発明の実施の形態３に係るコンテンツ情報提供装置の構成を示すブロック図である。このコンテンツ情報提供装置は、実施の形態２に係るコンテンツ情報提供装置の辞書１２の代わりに、音声認識用の第１辞書１２ａ、第２辞書１２ｂおよび第３辞書１２ｃが設けられるとともに、音声認識語彙抽出手段１３、語彙情報形態変更手段１４および音声認識手段１７の機能が変更されることにより構成されている。以下、実施の形態２に係るコンテンツ情報提供装置と異なる部分を中心に説明する。
【００３９】
このコンテンツ情報提供装置では、第１辞書１２ａ、第２辞書１２ｂおよび第３辞書１２ｃの中の１つがアクティブにされる、つまり認識処理が可能な状態にされる。そして、アクティブにされた辞書が、音声認識語彙抽出手段１３および音声認識手段１７によって参照される。各辞書の内容は、取り扱う語彙の種類が異なることを除けば、実施の形態１に係るコンテンツ情報提供装置を構成する辞書１２と同じである。
【００４０】
音声認識語彙抽出手段１３は、第１辞書１２ａ、第２辞書１２ｂおよび第３辞書１２ｃの中で現在どの辞書がアクティブであるかを確認し、アクティブな辞書を参照して、コンテンツ情報取得手段１１から送られてくるコンテンツ情報に含まれる音声認識対象語彙を抽出し、語彙情報形態変更手段１４およびボイスマーク付加手段１８に送る。
【００４１】
音声認識手段１７は、第１辞書１２ａ、第２辞書１２ｂおよび第３辞書１２ｃの中から現在アクティブな辞書を選択し、この選択されたアクティブな辞書を参照して、音声認識を実行し、この音声認識の結果をコンテンツ情報取得手段１１に送る。具体的には、音声認識手段１７は、音声入力手段１６から送られてきた音声データに対応する語彙をアクティブな辞書から検索し、この検索された語彙を音声認識の結果としてコンテンツ情報取得手段１１に送る。
【００４２】
語彙表示形態変更手段１４は、アクティブな辞書が変化した場合に、音声認識語彙抽出手段１３から送られてくる音声認識対象語彙の変化の前後における差異を調べ、差異が生じた場合は、現在アクティブな辞書を参照して抽出される音声認識対象語彙の表示形態を変更する。例えば、ある辞書を参照して図５に示すような音声認識対象語彙が表示されている状態からアクティブな辞書が変化した場合、図８に示すように、現在アクティブな辞書を参照して抽出された音声認識対象語彙は、例えばネガとポジを反転させて強調表示される。
【００４３】
以上説明したように、この発明の実施の形態３に係るコンテンツ情報提供装置によれば、ユーザは、過去に使用していた辞書から現在使用している辞書への変化を知ることができるので、ユーザは、認識可能な語彙である音声認識対象語彙が変化しても戸惑うことがない。また、音声認識対象語彙の変更が視覚的に理解しやすくなるので、ユーザは、現在音声認識が可能な語彙を容易に理解できる。
【００４４】
実施の形態４．
この発明の実施の形態４に係るコンテンツ情報提供装置は、実施の形態２に係るコンテンツ情報提供装置において、音声の認識率または認識頻度に応じて音声認識対象語彙の表示形態を変更するようにしたものである。
【００４５】
図９は、この発明の実施の形態４に係るコンテンツ情報提供装置の構成を示すブロック図である。このコンテンツ情報提供装置は、実施の形態２に係るコンテンツ情報提供装置において、音声認識手段１７から語彙表示形態変更手段１４への経路が追加されるとともに、語彙情報形態変更手段１４および音声認識手段１７の機能が変更されることにより構成されている。以下、実施の形態２に係るコンテンツ情報提供装置と異なる部分を中心に説明する。
【００４６】
音声認識手段１７は、実施の形態１と同様に、辞書１２を参照して、音声認識を実行し、この音声認識の結果をコンテンツ情報取得手段１１に送る他に、音声認識が成功したかどうかを表す音声認識成否情報を語彙表示形態変更手段１４に送る。
【００４７】
語彙表示形態変更手段１４は、音声認識手段１７から音声認識成否情報を受け取り、語彙毎の認識頻度を集計する。そして、認識頻度毎に語彙の表示形態の変更方法を変える。例えば、語彙表示形態変更手段１４は、音声認識対象語彙のうち、認識頻度が０の語彙は黒太字、認識頻度が１の語彙は青太字、認識頻度が２〜１０の語彙は緑太字、認識頻度が１０〜５０の語彙は赤太字、認識頻度が５０〜１００の語彙は大フォントの赤太字、認識頻度が１００以上の語彙は大フォントの赤太字を点滅表示させるなどの処理を行う。
【００４８】
以上説明したように、この発明の実施の形態４に係るコンテンツ情報提供装置によれば、ユーザが過去に好んで使用した音声認識対象語彙が強調表示されるので、ユーザの嗜好に応じたコンテンツ表示が可能となる。すなわち、ユーザは、より認識したいと思う語彙、または認識しやすい語彙の提示をわかりやすい状態で受けることができるので、音声認識に対して多くの心理的負荷を感じることなく音声操作を行うことができる。
【００４９】
なお、語彙表示形態変更手段１４は、音声認識後におけるユーザからのリジェクト指令も記録することにより音声認識手段１７から音声認識成否情報を受け取った回数に対する外部からリジェクト指令を受け取らなかった回数の割合を認識率と見なしてこれを算出し、この算出した認識率に応じて表示形態の変更方法を変えるように構成することもできる。この構成によれば、認識率に応じてコンテンツの表示内容が変更されるので、ユーザは、認識しやすい語彙をより認知しやすくなる。
【００５０】
実施の形態５．
この発明の実施の形態５に係るコンテンツ情報提供装置は、実施の形態２に係るコンテンツ情報提供装置において、ユーザ情報として登録されている音声認識成否情報に応じて音声認識対象語彙の表示形態を変更するようにしたものである。
【００５１】
図１０は、この発明の実施の形態５に係るコンテンツ情報提供装置の構成を示すブロック図である。このコンテンツ情報提供装置は、実施の形態２に係るコンテンツ情報提供装置に登録ユーザ情報メモリ１９が追加されるとともに、語彙情報形態変更手段１４および音声認識手段１７の機能が変更されることにより構成されている。以下、実施の形態２に係るコンテンツ情報提供装置と異なる部分を中心に説明する。
【００５２】
音声認識手段１７は、実施の形態１と同様に、辞書１２を参照して、音声認識を実行し、この音声認識の結果をコンテンツ情報取得手段１１に送る他に、音声認識の成否を表す音声認識成否情報を登録ユーザ情報メモリ１９に送る。登録ユーザ情報メモリ１９は、外部からユーザ指定情報によって指定されたユーザ毎に、音声認識手段１７からの音声認識成否情報を記憶する。この登録ユーザ情報メモリ１９の内容は語彙表示形態変更手段１４によって参照される。
【００５３】
語彙表示形態変更手段１４は、登録ユーザ情報メモリ１９から現在発話しているユーザの音声認識成否情報を読み出し、上述した実施の形態４に係るコンテンツ情報提供装置と同様に、音声認識成否情報に含まれる認識頻度および／または認識率を計算する。そして、この計算結果により得られた認識頻度および／または認識率に応じて音声認識対象語彙の表示形態の変更方法を変える。
【００５４】
以上説明したように、この発明の実施の形態５に係るコンテンツ情報提供装置によれば、ユーザ別に、各ユーザがより認識したいと思う語彙または各ユーザが認識しやすい語彙を、よりわかりやすく提示することが可能となり、ユーザの音声認識装置への習熟度や、話者別の認識傾向を考慮したコンテンツ情報の提示が可能となる。
【図面の簡単な説明】
【００５５】
【図１】この発明の実施の形態１に係るコンテンツ情報提供装置の構成を示すブロック図である。
【図２】この発明の実施の形態１に係るコンテンツ情報提供装置においてコンテンツ情報中の音声認識対象語彙の表示形態が変更された例を示す図である。
【図３】この発明の実施の形態１に係るコンテンツ情報提供装置の動作を示すフローチャートである。
【図４】この発明の実施の形態２に係るコンテンツ情報提供装置の構成を示すブロック図である。
【図５】この発明の実施の形態２に係るコンテンツ情報提供装置においてコンテンツ情報中の音声認識対象語彙の表示形態が変更された例を示す図である。
【図６】この発明の実施の形態２に係るコンテンツ情報提供装置の動作を示すフローチャートである。
【図７】この発明の実施の形態３に係るコンテンツ情報提供装置の構成を示すブロック図である。
【図８】この発明の実施の形態３に係るコンテンツ情報提供装置においてコンテンツ情報中の音声認識対象語彙の表示形態が変更された例を示す図である。
【図９】この発明の実施の形態４に係るコンテンツ情報提供装置の構成を示すブロック図である。
【図１０】この発明の実施の形態５に係るコンテンツ情報提供装置の構成を示すブロック図である。
【符号の説明】
【００５６】
１１  コンテンツ情報取得手段、１２  辞書、１２ａ〜１２ｃ  第１〜第３辞書、１３  音声認識語彙抽出手段、１４  語彙表示形態変更手段、１５  コンテンツ情報表示手段、１６  音声入力手段、１７  音声認識手段、１８  ボイスマーク付加手段、１９  登録ユーザ情報メモリ。
【図１】
0004675691.tif 000002
【図２】
0004675691.tif 000003
【図３】
0004675691.tif 000004
【図４】
0004675691.tif 000005
【図５】
0004675691.tif 000006
【図６】
0004675691.tif 000007
【図７】
0004675691.tif 000008
【図８】
0004675691.tif 000009
【図９】
0004675691.tif 000010
【図１０】
0004675691.tif 000011